(57)【要約】      （修正有）【課題】小型で安全性が高いコンデンサモジュールを提供する。【解決手段】コンデンサモジュールは、回路基板１０、少なくとも１つのブリッジボード３０および少なくとも１つのコンデンサ２０を含む。コンデンサは第１端面および第２端面を含み、第１端面は２つのリード線を含み、第２端面に絶縁スペーサが設置される。ブリッジボードはコンデンサおよび回路基板の間を接続する板体であり、コンデンサのリード線はブリッジボードに電気的に接続され、ブリッジボードは回路基板に電気的に接続される。コンデンサは回路基板に平行に置かれ、垂直に設置されるブリッジボードを介して回路基板に電気的に接続される。【選択図】図１
0003221509.tif 000002
【実用新案登録請求の範囲】
【請求項１】
回路基板と；
該回路基板にそれぞれ電気的に接続する少なくとも１つのブリッジボードと；
第１端面および第２端面を含み、該第１端面は２つのリード線を含み、リード線を介して対応する各該ブリッジボードにそれぞれ電気的に接続する少なくとも１つのコンデンサと；を含むコンデンサモジュール。
【請求項２】
該コンデンサは該回路基板に平行に設置され、該ブリッジボードは該回路基板に垂直に設置される、請求項１に記載のコンデンサモジュール。
【請求項３】
該コンデンサの該第２端面に絶縁スペーサが設置される、請求項１に記載のコンデンサモジュール。
【請求項４】
該コンデンサの該第２端面が少なくとも１つの溝を有し、該絶縁スペーサが少なくとも１つのノッチを有し、該絶縁スペーサが該コンデンサの該第２端面に設置されるとき、該絶縁スペーサの該ノッチは該コンデンサの該第２端面の該溝に対置される、請求項３に記載のコンデンサモジュール。
【請求項５】
該溝が減圧溝である、請求項４に記載のコンデンサモジュール。
【請求項６】
該コンデンサが電解コンデンサである、請求項１に記載のコンデンサモジュール。
【考案の詳細な説明】
【技術分野】
【０００１】
本考案はコンデンサモジュールに関し、特に比較的小さな寸法であり、安全性を兼ね備えたコンデンサモジュールを指す。
【背景技術】
【０００２】
コンデンサは、ほとんどが使用する電子機器の回路基板に垂直に溶接で設置される。しかし、いくつかの電子機器の内部は高度が不足しており、したがってコンデンサを回路基板に平行に設置することを選択することしかできない。
【０００３】
従来のコンデンサは、回路基板に平行に設置される。その手順は、コンデンサのリード線をおおよそ９０度に折り曲げてから、折り曲げたリード線を介してコンデンサを回路基板に直接溶接し、回路基板に平行に設置することができるようする。しかしながら、コンデンサのリード線を折り曲げると、いくつかの問題が生じる。例えば、いくつかの種類のコンデンサは、リード線を折り曲げるために準備した空間が最小の距離である制限に対して、コンデンサモジュールの寸法を大きくしなければならない。他に、折り曲げたコンデンサのリード線の力を管理できず、コンデンサ内部のリード線にショートが生じる状況を引き起こし、さらにはコンデンサが故障する可能性もある。
【考案の概要】
【考案が解決しようとする課題】
【０００４】
本考案の目的は、コンデンサモジュールを示すことにあり、これは回路基板、１つまたは複数のコンデンサ、および１つまたは複数のブリッジボードを含む。各コンデンサはそれぞれのリード線を介して対応するブリッジボードに電気的に接続して、回路基板に平行に設置され、各ブリッジボードはそれぞれ回路基板に電気的に接続して、回路基板に垂直に設置される。その場合、コンデンサは回路基板上に平らに置くことができ、コンデンサのリード線を折り曲げずに、垂直に設置されるブリッジボードを介して回路基板に電気的に接続することができる。このように、コンデンサのリード線の長さを短くすることができ、これによりコンデンサモジュールの寸法を効果的に減少させる。
【０００５】
本考案の別の目的は、コンデンサモジュールを示すことにあり、コンデンサの金属面に絶縁スペーサが増設される。絶縁スペーサの設置により、使用者がコンデンサの金属面に直接触れて、コンデンサのショートが生じるのを防止することができ、これによりコンデンサモジュールの使用における安全性を高める。
【課題を解決するための手段】
【０００６】
上記目的を達成するため、本考案は、回路基板と；回路基板にそれぞれ電気的に接続する少なくとも１つのブリッジボードと；第１端面および第２端面を含み、第１端面は２つのリード線を含み、リード線を介して対応するブリッジボードにそれぞれ電気的に接続する少なくとも１つのコンデンサと；を含むコンデンサモジュールを提供する。
【０００７】
本考案の一実施例において、コンデンサは回路基板に平行に設置され、ブリッジボードは回路基板に垂直に設置される。
【０００８】
本考案の一実施例において、コンデンサの第２端面に絶縁スペーサが設置される。
【０００９】
本考案の一実施例において、コンデンサの第２端面は少なくとも１つの溝を有し、絶縁スペーサは少なくとも１つのノッチを有する。絶縁スペーサがコンデンサの第２端面に設置されるとき、絶縁スペーサのノッチはコンデンサの第２端面の溝に対置される。
【００１０】
本考案の一実施例において、溝は減圧溝である。
【００１１】
本考案の一実施例において、コンデンサは電解コンデンサである。
【図面の簡単な説明】
【００１２】
【図１】図１は、本考案のコンデンサモジュールにおける構成部品の組合せ立体図である。
【図２】図２は、本考案のコンデンサモジュールにおける構成部品の組合せ側面図である。
【図３】図３は、本考案のコンデンサモジュールにおける構成部品の分解立体図である。
【図４Ａ】図４Ａは、本考案のコンデンサにおける第１の視角の立体図である。
【図４Ｂ】図４Ｂは、本考案のコンデンサにおける第２の視角の立体図である。
【考案を実施するための形態】
【００１３】
図を参照されたい。図１は、本考案のコンデンサモジュールにおける構成部品の組合せ立体図、図２は本考案のコンデンサモジュールにおける構成部品の組合せ側面図、図３は本考案のコンデンサモジュールにおける構成部品の分解立体図、図４Ａおよび図４Ｂは、それぞれ本考案のコンデンサにおける第１の視角および第２の視角の立体図である。これらの図に示すように、本考案のコンデンサモジュール１００は回路基板１０、１つまたは複数のコンデンサ２０、および１つまたは複数のブリッジボード３０を含む。本考案において、回路基板１０は電子機器または電子設備のメインボードでもよく、コンデンサ２０は電解コンデンサであり、ブリッジボード３０はコンデンサ２０および回路基板１０の間を接続する板体である。
【００１４】
コンデンサ２０は、第１端面２１および第２端面２３を含む。第１端面２１に２つのリード線２１１が設置される。各コンデンサ２０はそれぞれのリード線２１１を介して対応するブリッジボード３０に電気的に接続して、回路基板１０に平行に設置され、各ブリッジボード３０は回路基板１０にそれぞれ電気的に接続して、回路基板１０に垂直に設置される。コンデンサ２０が回路基板１０に平行に設置されるとき、回路基板１０に垂直に設置されるブリッジボード３０をコンデンサ２０および回路基板１０間の接続回路とし、その場合、コンデンサ２０のリード線２１１を折り曲げずに、回路基板１０に電気的に接続することができる。さらに、本考案の一実施例において、各ブリッジボード３０は溶接方式または固定材の方式により、回路基板１０に固定される。
【００１５】
これにより、本考案のコンデンサ２０は回路基板１０上に水平に置くことができ、コンデンサ２０のリード線２１１を折り曲げずに、回路基板１０に電気的に接続することができる。このように、コンデンサのリード線２１１の長さを短くすることができ、これによりコンデンサモジュール１００の寸法を効果的に減少させる。
【００１６】
コンデンサ２０の第２端面２３は減圧に用いる金属面であり、少なくとも１つの溝２３１を含む。コンデンサ２０の内部に高圧が生じたとき、その高圧は第２端面２３の溝２３１に沿って減圧される。また、コンデンサ２０の第２端面２３はむき出しの金属面であり、使用者がこのむき出しの金属面に触れて、コンデンサ２０のショートが容易に引き起こされる。そこで、本考案のコンデンサ２０の第２端面２３に絶縁スペーサ３５を増設し、絶縁スペーサ３５の設置により、使用者がコンデンサ２０の第２端面２３に直接触れるのを防止することができ、これによりコンデンサモジュール１００の使用における安全性を高める。
【００１７】
このほか、本考案の絶縁スペーサ３５は少なくとも１つのノッチ３５１を有し、このノッチ３５１の数量および形状は、コンデンサ２０の第２端面２３における溝２３１の数量および形状に準ずる。絶縁スペーサ３５がコンデンサ２０の第２端面２３に設置されるとき、絶縁スペーサ３５のノッチ３５１は、コンデンサ２０の第２端面２３の溝２３１に対置される。その場合、コンデンサ２０内部に高圧が生じたとき、その高圧は第２端面２３の溝２３１および絶縁スペーサ３５のノッチ３５１から減圧される。ここで、絶縁スペーサ３５にノッチ３５１を設置し、絶縁スペーサ３５がコンデンサ２０の減圧を阻害するのを防止する。
【００１８】
以上の記載は本考案の好ましい実施例に過ぎず、本考案の実施の範囲を限定するものではない。本考案の実用新案登録請求の範囲に記載の形状、構造、特徴および趣旨に基づいて行った均等変化および修飾は、いずれも本考案の実用新案登録請求の範囲内に含まれるべきである。
【符号の説明】
【００１９】
１００  コンデンサモジュール
１０  回路基板
２０  コンデンサ
２１  第１端面
２１１  リード線
２３  第２端面
２３１  溝
３０  ブリッジボード
３５  絶縁スペーサ
３５１  ノッチ
【図１】
0003221509.tif 000003
【図２】
0003221509.tif 000004
【図３】
0003221509.tif 000005
【図４Ａ】
0003221509.tif 000006
【図４Ｂ】
0003221509.tif 000007